(57)【要約】【課題】  殆どそのままの金額で土地および建物を含む住宅を購入できる精度の高い住宅の見積を提供する。【解決手段】  住宅購入にかかる金額の見積を行う住宅のコンピュータ見積システム１であって、土地区画情報格納部６と、土地区画情報を利用者に選択させる土地区画情報選択手段７と、建物プラン情報格納部９と、選択された土地区画情報に適合する建物プラン情報を抽出する建物プラン情報抽出手段１０と、建物プラン情報を利用者に選択させる建物プラン情報選択手段１１と、建物仕様情報格納部１２と、建物仕様情報を利用者に選択させる建物仕様情報選択手段１３と、外構仕様情報格納部１４と、外構仕様情報を利用者に選択させる外構仕様情報選択手段１５と、利用者が選択した各選択情報に基づいて住宅取得の資金計画を計算する資金計画計算手段１６と、計算された資金計画を表示する資金計画表示手段１７とを備えた。【選択図】      図１
2007102400.tif 000002
【特許請求の範囲】
【請求項１】
利用者が選択した、土地区画情報と建物プラン情報と建物仕様情報とに基づいて、住宅購入にかかる金額の見積を行う住宅のコンピュータ見積システムであって、
複数の土地区画情報が格納された土地区画情報格納部と、
前記土地区画情報を前記利用者に選択させる土地区画情報選択手段と、
複数の建物プラン情報が格納された建物プラン情報格納部と、
前記利用者が選択した土地区画情報に適合する建物プラン情報を抽出する建物プラン情報抽出手段と、
抽出された建物プラン情報を前記利用者に選択させる建物プラン情報選択手段と、
複数の建物仕様情報が格納された建物仕様情報格納部と、
前記建物仕様情報を前記利用者に選択させる建物仕様情報選択手段と、
複数の外構仕様情報が格納された外構仕様情報格納部と、
前記外構仕様情報を前記利用者に選択させる外構仕様情報選択手段と、
前記利用者が選択した土地区画情報と建物プラン情報と建物仕様情報と外構仕様情報などの選択情報を基に計算された金額情報に基づいて住宅取得の資金計画を計算する資金計画計算手段と、
前記計算された資金計画を表示する資金計画表示手段と、を備えた
ことを特徴とする住宅のコンピュータ見積システム。
【請求項２】
前記建物プラン情報抽出手段は、
前記選択された土地区画情報の接道方角と、建物プランのアプローチ方角とが一致するかを判定する方角判定手段と、
前記選択された土地区画情報に対する建物プランの建ぺい率を計算してこれが適合するかどうかを判定する建ぺい率判定手段と、
前記選択された土地区画情報に対する建物プランの容積率を計算してこれが適合するかどうかを判定する容積率判定手段と、
建物プランの平面スペースと駐車場スペースとが前記選択された土地区画情報の敷地内に納まるかどうかを判定する建築スペース判定手段と、を備えた
ことを特徴とする請求項１に記載の住宅のコンピュータ見積システム。
【請求項３】
前記土地区画情報格納部は、同一の分譲地や同一の地域などの所定の区画単位ごとに設けられており、
前記区画単位ごとに、前記土地区画情報選択手段と、建物プラン情報格納部と、建物プラン情報抽出手段と、建物プラン情報選択手段と、建物仕様情報格納部と、建物仕様情報選択手段と、外構仕様情報格納部と、外構仕様情報選択手段と、資金計画計算手段と、資金計画表示手段と、がそれぞれ設けられた
ことを特徴とする請求項１または請求項２に記載の住宅のコンピュータ見積システム。
【請求項４】
前記建物仕様情報格納部は、外観形状情報が複数格納された外観スタイル情報格納部と、建物各部の材質や形状が複数格納されたオプション情報格納部と、を備え、
前記建物仕様情報選択手段は、外観形状を前記利用者に選択させる外観スタイル情報選択手段と、建物各部の材質や形状を前記利用者に選択させるオプション情報選択手段と、を備えた
ことを特徴とする請求項１乃至請求項３のいずれか１項に記載の住宅のコンピュータ見積システム。
【請求項５】
前記オプション情報選択手段は、屋根材を前記利用者に選択させる屋根材選択手段と、外壁材を前記利用者に選択させる外壁材選択手段と、設備機器を前記利用者に選択させる設備機器選択手段と、建具を前記利用者に選択させる建具選択手段と、を備えた
ことを特徴とする請求項４に記載の住宅のコンピュータ見積システム。
【請求項６】
前記建物仕様情報選択手段は、前記利用者が選択した建物プラン情報に応じて、標準仕様からの金額の増減差額を計算する建物仕様計算手段を備えた
ことを特徴とする請求項１乃至請求項５のいずれか１項に記載の住宅のコンピュータ見積システム。
【請求項７】
前記外構仕様情報選択手段は、外構形状を前記利用者に選択させる外構スタイル情報選択手段と、前記利用者が選択した土地区画情報および建物プラン情報に応じて、外構工事にかかる金額を計算して表示する外構金額計算手段と、を備えた
ことを特徴とする請求項１乃至請求項６のいずれか１項に記載の住宅のコンピュータ見積システム。
【請求項８】
前記利用者が選択した土地区画情報と建物プラン情報と建物仕様情報と外構仕様情報などの選択情報に基づいて見積金額を表示する見積金額表示手段をさらに備えた
ことを特徴とする請求項１乃至請求項７のいずれか１項に記載の住宅のコンピュータ見積システム。
【請求項９】
前記資金計画計算手段は、利用者の自己資金や年収などの資金内訳情報を入力する資金内訳入力手段と、借入金額や借入年数などのローン内容情報を入力するローン内容入力手段と、入力された前記ローン内容情報に基づいて返済内容を計算する返済内容計算手段と、を備えた
ことを特徴とする請求項１乃至請求項８のいずれか１項に記載の住宅のコンピュータ見積システム。
【請求項１０】
前記利用者が選択した各条件と、前記資金計画計算手段によって計算された資金計画とに利用者が同意したときに、商談の申し込みを行う商談申込手段を、さらに備えた
ことを特徴とする請求項１乃至請求項９のいずれか１項に記載の住宅のコンピュータ見積システム。
【請求項１１】
コンピュータシステムを用いて住宅購入にかかる金額の見積を行う住宅の見積方法であって、
前記コンピュータシステムが、利用者に複数の土地区画情報を表示する土地区画情報表示ステップと、
前記利用者が、土地区画情報を選択して前記コンピュータシステムに入力する土地区画情報選択ステップと、
前記コンピュータシステムが、前記選択された土地区画情報に適合する建物プラン情報を複数抽出する建物プラン情報抽出ステップと、
前記コンピュータシステムが、前記抽出された建物プラン情報を前記利用者に表示する建物プラン情報表示ステップと、
前記利用者が、建物プラン情報を選択して前記コンピュータシステムに入力する建物プラン情報選択ステップと、
前記コンピュータシステムが、前記利用者に複数の建物仕様情報を表示する建物仕様情報表示ステップと、
前記利用者が、建物仕様情報を選択して前記コンピュータシステムに入力する建物仕様情報選択ステップと、
前記コンピュータシステムが、前記利用者に複数の外構仕様情報を表示する外構仕様情報表示ステップと、
前記利用者が、外構仕様情報を選択して前記コンピュータシステムに入力する外構仕様情報選択ステップと、
前記コンピュータシステムが、入力された前記土地区画情報と建物プラン情報と建物仕様情報などの選択情報に基づいて住宅取得の資金計画を計算する資金計画計算ステップと、
前記コンピュータシステムが、前記資金計画を前記利用者に表示する資金計画表示ステップと、を備えた
ことを特徴とする住宅の見積方法。
【請求項１２】
前記資金計画計算ステップは、利用者が入力した借入金額や借入年数などのローン内容情報に基づいて計算された返済計画をさらに表示する
ことを特徴とする請求項１１に記載の住宅の見積方法。
【請求項１３】
前記利用者が選択した各条件と、前記資金計画表示ステップで表示された資金計画とに利用者が同意したときに、インターネットを通じて商談の申し込みを行う商談申込ステップをさらに備えた
ことを特徴とする請求項１１または請求項１２に記載の住宅の見積方法。
【発明の詳細な説明】
【技術分野】
【０００１】
本発明は、コンピュータを用いた住宅の見積システムおよび住宅の見積方法に関する。
【背景技術】
【０００２】
コンピュータを用いた住宅の見積システムとしては、例えば、特許文献１に示すようなものがあった。この見積システムは、建物の建設費用に関する費用情報が格納された費用情報格納部と、建物の商品情報が格納された商品情報格納部と、顧客が建物および建設資金に関する条件を入力するための条件入力手段と、入力された条件と費用情報格納部に格納されている費用情報とに基づいて建物の価格情報を作成する価格情報作成手段と、入力された条件と作成された価格情報とに適合する商品情報を商品情報格納部に格納されている商品情報から検索し検索された商品情報について出力するマッチング手段と、入力された条件と作成された価格情報とに基づいて建物の設計情報を作成し出力する設計情報作成手段とを有するコンピュータシステムである。
【０００３】
かかるコンピュータシステムによれば、顧客が、建物および建設資金に関する条件を入力することにより、その条件に合った商品情報と設計情報とが出力される。そして、顧客は商品情報を見て、自分の条件と照らし合わせて、どこの住宅メーカのどの商品が購入可能かを客観的に判断できる。そして、その商品を扱っている住宅メーカに、出力された設定情報を提示することにより、早期に住宅メーカからの具体的な提案を受けることができる。また、住宅メーカにとっては、顧客から正確な情報を得ることができるので、効率的な営業を行うことができるといった作用効果が得られる。
【特許文献１】特開２００４−１７８０８９号公報
【発明の開示】
【発明が解決しようとする課題】
【０００４】
しかしながら、前記コンピュータシステムは、一般的な建築販売・購入（主に建物のみの購入のケースが多い）の支援システムであって、土地区画についての情報は考慮されていなかった。そのため、資金計画においてシミュレートされる工事金額などの具体性が乏しく、購入した土地によっては、購入予定金額が大幅にオーバーしたり、敷地内にシミュレートした建物が入らなかったりするといった問題があった。
【０００５】
そこで、本発明は、前記の問題を解決するためになされたものであり、土地および建物を含む住宅の購入にかかる資金の見積精度が高く、ほとんどそのままの金額で住宅を購入することができる住宅のコンピュータ見積システムおよび住宅の見積方法を提供することを課題とする。
【課題を解決するための手段】
【０００６】
前記課題を解決するための請求項１に係る発明は、利用者が選択した、土地区画情報と建物プラン情報と建物仕様情報とに基づいて、住宅購入にかかる金額の見積を行う住宅のコンピュータ見積システムであって、複数の土地区画情報が格納された土地区画情報格納部と、前記土地区画情報を前記利用者に選択させる土地区画情報選択手段と、複数の建物プラン情報が格納された建物プラン情報格納部と、前記利用者が選択した土地区画情報に適合する建物プラン情報を抽出する建物プラン情報抽出手段と、抽出された建物プラン情報を前記利用者に選択させる建物プラン情報選択手段と、複数の建物仕様情報が格納された建物仕様情報格納部と、前記建物仕様情報を前記利用者に選択させる建物仕様情報選択手段と、複数の外構仕様情報が格納された外構仕様情報格納部と、前記外構仕様情報を前記利用者に選択させる外構仕様情報選択手段と、前記利用者が選択した土地区画情報と建物プラン情報と建物仕様情報と外構仕様情報などの選択情報を基に計算された金額情報に基づいて住宅取得の資金計画を計算する資金計画計算手段と、前記計算された資金計画を表示する資金計画表示手段と、を備えたことを特徴とする住宅のコンピュータ見積システムである。
【０００７】
本発明において、住宅とは、建物と土地と含むものとする。請求項１に係る発明によれば、利用者は土地区画情報を選択した後に、その土地区画情報に適合する建物プラン情報を選択できるので、建物プランの具体性が高く、住宅購入にかかる資金の見積精度が非常に高くなる。また、建物仕様情報や外構仕様情報は、選択した土地区画情報と建物プラン情報とから面積などが正確に算出でき、その面積などに基づいて見積を計算できるので、その見積精度が大幅に向上する。したがって、利用者は、本システムで示された見積金額とほとんどそのままの金額で住宅を購入することができ、購入などの意思決定が行いやすい。さらに、敷地内に建物が入らないといった問題が発生することはない。
【０００８】
請求項２に係る発明は、前記建物プラン情報抽出手段が、前記選択された土地区画情報の接道方角と、建物プランのアプローチ方角とが一致するかを判定する方角判定手段と、前記選択された土地区画情報に対する建物プランの建ぺい率を計算してこれが適合するかどうかを判定する建ぺい率判定手段と、前記選択された土地区画情報に対する建物プランの容積率を計算してこれが適合するかどうかを判定する容積率判定手段と、建物プランの平面スペースと駐車場スペースとが前記選択された土地区画情報の敷地内に納まるかどうかを判定する建築スペース判定手段と、を備えたことを特徴とする請求項１に記載の住宅のコンピュータ見積システムである。
【０００９】
請求項２に係る発明によれば、多くの建物プラン情報の中から選択された土地区画情報に適合する建物プラン情報を迅速かつ的確に抽出することができる。
【００１０】
請求項３に係る発明は、前記土地区画情報格納部が、同一の分譲地や同一の地域などの所定の区画単位ごとに設けられており、前記区画単位ごとに、前記土地区画情報選択手段と、建物プラン情報格納部と、建物プラン情報抽出手段と、建物プラン情報選択手段と、建物仕様情報格納部と、建物仕様情報選択手段と、外構仕様情報格納部と、外構仕様情報選択手段と、資金計画計算手段と、資金計画表示手段と、がそれぞれ設けられたことを特徴とする請求項１または請求項２に記載の住宅のコンピュータ見積システムである。
【００１１】
請求項３に係る発明によれば、所定の区画単位ごとに各情報の格納部と選択手段とが個別に設けられているので、より細かい建物プラン情報、建物仕様情報および外構仕様情報を設定することができ、見積精度を大幅に高くできる。
【００１２】
請求項４に係る発明は、前記建物仕様情報格納部が、外観形状情報が複数格納された外観スタイル情報格納部と、建物各部の材質や形状が複数格納されたオプション情報格納部と、を備え、前記建物仕様情報選択手段が、外観形状を前記利用者に選択させる外観スタイル情報選択手段と、建物各部の材質や形状を前記利用者に選択させるオプション情報選択手段と、を備えたことを特徴とする請求項１乃至請求項３のいずれか一項に記載の住宅のコンピュータ見積システムである。
【００１３】
請求項４に係る発明によれば、外観スタイルと建物各部のオプションとを、予め利用者に表示して選択させるので、契約後の変更が少なく、見積金額と実際にかかる金額との差額をほとんどなくすことができるとともに、工事についても、途中での変更が少なく円滑に行うことができる。
【００１４】
請求項５に係る発明は、前記オプション情報選択手段が、屋根材を前記利用者に選択させる屋根材選択手段と、外壁材を前記利用者に選択させる外壁材選択手段と、設備機器を前記利用者に選択させる設備機器選択手段と、建具を前記利用者に選択させる建具選択手段と、を備えたことを特徴とする請求項４に記載の住宅のコンピュータ見積システムである。
【００１５】
請求項５に係る発明によれば、利用者は建物各部のオプションを細かく選択することができるので、見積精度が大幅に高くなるとともに、利用者のイメージと実際に建てられる建物との差をなくすことができる。
【００１６】
請求項６に係る発明は、前記建物仕様情報選択手段が、前記利用者が選択した建物プラン情報に応じて、標準仕様からの金額の増減差額を計算する建物仕様計算手段を備えたことを特徴とする請求項１乃至請求項５のいずれか一項に記載の住宅のコンピュータ見積システムである。
【００１７】
請求項６に係る発明によれば、建物仕様に応じて金額が分かるので、利用者は建物仕様を購入予算に応じて決定できるので、見積後の変更を低減できる。
【００１８】
請求項７に係る発明は、前記外構仕様情報選択手段が、外構形状を前記利用者に選択させる外構スタイル情報選択手段と、前記利用者が選択した土地区画情報および建物プラン情報に応じて、外構工事にかかる金額を計算して表示する外構金額計算手段と、を備えたことを特徴とする請求項１乃至請求項６のいずれか一項に記載の住宅のコンピュータ見積システムである。
【００１９】
請求項７に係る発明によれば、外構仕様に応じて金額が分かるので、利用者は外構仕様を購入予算に応じて決定できるので、見積後の変更を低減できる。さらに、外構工事にかかる金額は、利用者が選択した土地区画情報および建物プラン情報に応じて具体的な面積から計算されるので、見積精度が非常に高い。
【００２０】
請求項８に係る発明は、前記利用者が選択した土地区画情報と建物プラン情報と建物仕様情報と外構仕様情報などの選択情報に基づいて見積金額を表示する見積金額表示手段をさらに備えたことを特徴とする請求項１乃至請求項７のいずれか一項に記載の住宅のコンピュータ見積システムである。
【００２１】
請求項８に係る発明によれば、利用者は建物工事費の見積金額を参照しながら、土地区画情報と建物プラン情報と建物仕様情報と外構仕様情報などを選択できるので、選択作業を、金額を考慮しながら円滑かつ迅速に行うことができる。
【００２２】
請求項９に係る発明は、前記資金計画計算手段が、利用者の自己資金や年収などの資金内訳情報を入力する資金内訳入力手段と、借入金額や借入年数などのローン内容情報を入力するローン内容入力手段と、入力された前記ローン内容情報に基づいて返済内容を計算する返済内容計算手段と、を備えたことを特徴とする請求項１乃至請求項８のいずれか一項に記載の住宅のコンピュータ見積システムである。
【００２３】
請求項９に係る発明によれば、利用者の資金内訳情報やローン内容情報を正確に把握した上で返済内容を計算できるので、毎月の返済額などを正確に計算できる。
【００２４】
請求項１０に係る発明は、前記利用者が選択した各条件と、前記資金計画計算手段によって計算された資金計画とに利用者が同意したときに、商談の申し込みを行う商談申込手段を、さらに備えたことを特徴とする請求項１乃至請求項９のいずれか一項に記載の住宅のコンピュータ見積システムである。
【００２５】
請求項１０に係る発明によれば、迅速に次のステップへ進むことができ、利用者および販売施工業者の双方に有益である。また、同じ土地区画で他の商談が入っている場合、この情報を即座に把握できるようにすることもできる。これによれば、利用者は別の区画の選択作業を直ぐに開始できる。
【００２６】
請求項１１に係る発明は、コンピュータシステムを用いて住宅購入にかかる金額の見積を行う住宅の見積方法であって、前記コンピュータシステムが、利用者に複数の土地区画情報を表示する土地区画情報表示ステップと、前記利用者が、土地区画情報を選択して前記コンピュータシステムに入力する土地区画情報選択ステップと、前記コンピュータシステムが、前記選択された土地区画情報に適合する建物プラン情報を複数抽出する建物プラン情報抽出ステップと、前記コンピュータシステムが、前記抽出された建物プラン情報を前記利用者に表示する建物プラン情報表示ステップと、前記利用者が、建物プラン情報を選択して前記コンピュータシステムに入力する建物プラン情報選択ステップと、前記コンピュータシステムが、前記利用者に複数の建物仕様情報を表示する建物仕様情報表示ステップと、前記利用者が、建物仕様情報を選択して前記コンピュータシステムに入力する建物仕様情報選択ステップと、前記コンピュータシステムが、前記利用者に複数の外構仕様情報を表示する外構仕様情報表示ステップと、前記利用者が外構仕様情報を選択して前記コンピュータシステムに入力する外構仕様情報選択ステップと、前記コンピュータシステムが、入力された前記土地区画情報と建物プラン情報と建物仕様情報などの選択情報に基づいて住宅取得の資金計画を計算する資金計画計算ステップと、前記コンピュータシステムが、前記資金計画を前記利用者に表示する資金計画表示ステップと、を備えたことを特徴とする住宅の見積方法である。
【００２７】
請求項１１に係る発明によれば、建物プランの具体性が高く、住宅購入にかかる資金の見積精度が非常に高くなる。また、建物仕様情報や外構仕様情報は、見積精度が大幅に向上する。したがって、本システムで示された見積金額とほとんどそのままの金額で住宅を購入することができる。
【００２８】
請求項１２に係る発明は、前記資金計画表示ステップが、利用者が入力した借入金額や借入年数などのローン内容情報に基づいて計算された返済計画をさらに表示することを特徴とする請求項１１に記載の住宅の見積方法である。
【００２９】
請求項１２に係る発明によれば、利用者のローン内容情報を正確に把握した上で返済計画を計算できるので、正確な返済計画を計算できる。
【００３０】
請求項１３に係る発明は、前記利用者が選択した各条件と、前記資金計画表示ステップで表示された資金計画とに利用者が同意したときに、インターネットを通じて商談の申し込みを行う商談申込ステップをさらに備えたことを特徴とする請求項１１または請求項１２に記載の住宅の見積方法である。
【００３１】
請求項１３に係る発明によれば、迅速に次のステップへ進むことができ、利用者および販売施工業者の双方に有益である。
【発明の効果】
【００３２】
本発明によれば、住宅購入にかかる資金の見積精度が高く、利用者はほとんどそのままの金額で住宅を購入することができるといった優れた効果を発揮する。
【発明を実施するための最良の形態】
【００３３】
本発明を実施するための最良の形態について図面を参照して詳細に説明する。説明において、同一の要素には同一の番号を付し、重複する説明は省略する。
【００３４】
図１は本発明に係る住宅のコンピュータ見積システムを実施するための最良の第1の実施の形態を示した構成図、図２は本発明に係る住宅のコンピュータ見積システムを実施するための最良の第1の実施の形態の接続状態を示した構成図、図３は建物プラン情報抽出手段を示した構成図、図４はオプション情報選択手段を示した構成図、図５は資金計画計算手段を示した構成図、図６は本発明に係る住宅の見積方法を実施するための最良の第1の実施の形態を示したフローチャートである。
【００３５】
まず、かかる住宅のコンピュータ見積システムの構成について説明する。
【００３６】
本発明に係るコンピュータ見積システムは、利用者が選択した、土地区画情報と建物プラン情報と建物仕様情報とに基づいて、住宅購入にかかる金額の見積を行う住宅のコンピュータ見積システムである。
【００３７】
図２に示すように、コンピュータ見積システム１（図１参照）を備えたサーバ２は、インターネット３を介して、利用者の自宅コンピュータなどの利用者端末４ａ，４ｂ，４ｃ・・（以下、単に「利用者端末４」という場合がある）にそれぞれ接続可能となっている。また、サーバ２は、ＬＡＮ（Ｌｏｃａｌ  Ａｒｅａ  Ｎｅｔｗｏｒｋ）などの接続手段を介して住宅メーカなどの社内コンピュータなどの利用者端末５ａ，５ｂ（以下、単に「利用者端末５」という場合がある）にそれぞれ接続可能となっている。
【００３８】
図１に示すように、コンピュータ見積システム１は、複数の土地区画情報が格納された土地区画情報格納部６と、土地区画情報を利用者に選択させる土地区画情報選択手段７とを備えている。
【００３９】
土地区画情報格納部６は、同一の分譲地や同一の地域などの所定の区画単位ごとに設けられており、所定の区画単位内に位置する土地区画情報を格納している。土地区画情報は、土地形状、土地面積、土地価格、方角、土地周辺の道路状況などから構成されている。また、後記する建物プラン抽出において利用される、斜線制限、壁面後退、道路との高低差などを考慮した寸法も土地区画情報として土地区画情報格納部６に収容されている。これらの寸法は、各種法令に適合するような敷地境界線からの距離を演算して設定されており、必要な場合には、その分だけ境界線の長さを短く設定する。つまり、立体的な各種制限を平面的な寸法に変換して、境界線寸法が登録されている。また、必要であれば、地目の種類、建物周辺の施設や最寄り駅からの歩行ルートを示した案内図、敷地実測図などの情報を加えてもよい。
【００４０】
なお、土地区画情報選択手段７と、後記する建物プラン情報格納部９と、建物プラン情報抽出手段１０と、建物プラン情報選択手段１１と、建物仕様情報格納部１２と、建物仕様情報選択手段１３と、外構仕様情報格納部１４と、外構仕様情報選択手段１５と、資金計画計算手段１６と、資金計画表示手段１７も、前記区画単位ごとにそれぞれ設けられている。
【００４１】
土地区画情報選択手段７は、図７に示すように、土地区画情報格納部６から複数の土地区画情報を抽出して土地の概略図７５と方角表示７６、土地面積７７および土地価格７８を、コンピュータのモニターの土地区画情報表示選択画面７１上に一覧表示して、利用者に選択させる。各土地区画情報には記号が振り分けられている。各記号の横には、選択用ボックス７２がそれぞれ設けられており、利用者は利用者端末４ａ，４ｂ・・・または５ａ，５ｂ（図２参照）のマウスあるいはキーボードなどの入力装置８（図１参照）を操作して、選択した選択用ボックス７２にチェック７３を付けることとで、土地区画の選択情報が土地区画情報選択手段７へと入力される。
【００４２】
図１に示すように、コンピュータ見積システム１は、複数の建物プラン情報が格納された建物プラン情報格納部９と、利用者が選択した土地区画情報に適合する建物プラン情報を抽出する建物プラン情報抽出手段１０と、抽出された建物プラン情報を利用者に選択させる建物プラン情報選択手段１１とを備えている。
【００４３】
建物プラン情報格納部９は、平面プラン、延床面積、建物価格などから構成される建物プラン情報を多数格納している。建物プラン情報は、玄関が位置する方角ごとに分類されており、間取り番号の最初の文字は玄関の方角を示すアルファベット（Ｓ（南）、Ｗ（西）、Ｎ（北）、Ｅ（東））となっている。また、建物プラン情報は、居室の有効採光面積確保のための固有値を保有している。この固有値は、プラン毎に設定された有効採光面積を確保するために必要な境界線からの後退距離である。この後退距離は、居室の床面積、開口部の面積および高さなどの各種条件から算出されている。固有値は、建物寸法および駐車場寸法と、選択された土地区画の境界線寸法との比較演算に使用される。建物プラン情報は、定期的（一年間隔程度）あるいは随時、プランの見直しを行い、新たなものに更新していく。
【００４４】
建物プラン情報抽出手段１０は、図３に示すように、方角判定手段１０１と、建ぺい率判定手段１０２と、容積率判定手段１０３と、建築スペース判定手段１０５とを備えている。
【００４５】
方角判定手段１０１は、選択された土地区画情報の接道方角と、建物プランのアプローチ方角とが一致するかを判定し、これに一致する建物プランを抽出する。
【００４６】
建ぺい率判定手段１０２は、接道方角とアプローチ方角とが一致した建物プラン情報に対して、選択された土地区画情報に対する建物プランの建ぺい率（建築面積／土地面積）を各々計算して、これが選択された土地の用途地域の建ぺい率に適合するかどうかを判定する。すなわち、土地区画情報に対する建ぺい率が、選択された土地の用途地域の建ぺい率以下の建物プランを抽出する。
【００４７】
容積率判定手段１０３は、用途地域の建ぺい率に適合した建物プラン情報に対して、選択された土地区画情報に対する建物プランの容積率（延床面積／土地面積）を各々計算して、これが選択された土地の用途地域の容積率に適合するかどうかを判定する。すなわち、土地区画情報に対する容積率が、選択された土地の用途地域の容積率以下の建物プランを抽出する。
【００４８】
建築スペース判定手段１０５は、建物プランの平面スペースと駐車場スペースとが選択された土地区画情報の敷地内に納まるかどうかを判定する。具体的には、選択した土地区画の形状と、建物プランの形状とを駐車場スペースを考慮して比較し、間口方向および奥行方法の両方で、建物が土地区画内に入るかを判定する。土地区画情報における区画寸法は、予め土地の所在地における斜線制限、壁面後退、道路との高低差を考慮した境界線寸法で登録されている。したがって、平面的な境界線寸法と建物寸法と駐車場寸法とを比較演算するだけで、選択した土地区画にかかってくる斜線制限、壁面後退、道路との高低差を考慮した精度の高い建築スペース判定結果を得ることができる。また、建物プランがそれぞれ保有している固有値と建物寸法と駐車場寸法と選択された土地区画の境界線寸法とを比較演算して、当該建物プランの土地区画への適合の可否を判断することで、必要な有効採光面積を有する建物プランを確実に抽出できる。なお、駐車場スペースは、不要な場合と、一台の場合と、二台の場合とで、場合分けして判定するようにしてもよい。
【００４９】
建物プラン情報選択手段１１は、図８に示すように、建物プラン情報抽出手段１０によって抽出された複数（本実施の形態では９プラン）の建物プラン情報を、コンピュータのモニターに表示する。モニターに表示される建物プラン情報表示選択画面１１１には、各階平面図１１２、延床面積１１３および建物価格１１４が並列されて表示される。画面上では、横方向に並んで３プランずつ表示され、上下にスクロールすることで他のプランを見ることができる。また、各プランは、間取りをクリックすることで、各階平面図が拡大表示されるとともに、建築面積および各階床面積が表示される。各建物プラン情報には記号が振り分けられており、各記号の横には、選択用ボックス１１５がそれぞれ設けられており、利用者は利用者端末４ａ，４ｂ・・・または５ａ，５ｂ（図２参照）のマウスあるいはキーボードなどの入力装置８（図１参照）を操作して、選択した選択用ボックス１１５にチェック１１６を付けることとで、建物プランの選択情報が建物プラン情報選択手段１１へと入力される。
【００５０】
図１に示すように、コンピュータ見積システム１は、複数の建物仕様情報が格納された建物仕様情報格納部１２と、建物仕様情報を利用者に選択させる建物仕様情報選択手段１３とを備えている。
【００５１】
建物仕様情報格納部１２は、外観形状情報が複数格納された外観スタイル情報格納部１２１と、建物各部の材質や形状が複数格納されたオプション情報格納部１２２と、を備えている。外観スタイル情報格納部１２１には、複数の外観スタイル（外観形状）のイメージパース図と建物金額の増減差額の概略計算情報が格納されている。概略計算情報は、利用者が選択した建物プラン情報に応じて、建物金額の増減差額を算出するためのものである。外観スタイルは、例えば、シンプルでモダンな美しいイメージの標準外観スタイル（図１０の画面上ではスタイリッシュと称する）と、青い空と海に合う明るいイメージの外観スタイル（図１０の画面上ではウェストコーストと称する）と、気品とやすらぎに満ちたイメージの外観スタイル（図１０の画面上ではヨーロピアンクラシックと称する）などがある。
【００５２】
オプション情報格納部１２２には、屋根材、外壁材、玄関収納などの建物各部の複数の仕様のイメージ写真と、建物金額の増減差額の概略計算情報が格納されている。概略計算情報は、利用者が選択した建物プラン情報に応じて、建物金額の増減差額を算出するためのものである。建物各部の情報は、前記の屋根材、外壁材、玄関収納以外にも、出窓、屋根裏収納、電化対応仕様（コンロや給湯器の種類）、システムバス、空調設備、活水システム（浄水器の有無）、ウッドデッキなどのオプション情報が、オプション情報格納部１２２に格納されている。
【００５３】
建物仕様情報選択手段１３は、建物各部の標準仕様を利用者に表示する標準仕様表示手段１３１と、外観形状を利用者に選択させる外観スタイル情報選択手段１３２と、建物各部の材質や形状を利用者に選択させるオプション情報選択手段１３３と、利用者が選択した建物プラン情報に応じて、標準仕様からの金額の増減差額を計算する建物仕様計算手段１３４とを備えている。
【００５４】
標準仕様表示手段１３１は、図９に示すように、建物各部の標準仕様、すなわち、利用者が選択した建物プラン情報の建物価格に含まれている仕様についての概略説明とイメージ写真を、コンピュータのモニターの標準仕様表示画面１３１ａに表示する。標準仕様表示手段１３１は、例えば、ガス温水式床暖房１３１ｂ、システムキッチン１３１ｃ、システムバス１３１ｄ（以上、図９に示す）、壁断熱構造、浴室暖房乾燥機、洗面化粧台、シャワートイレ、インターフォン、サッシ構造、玄関ドアと鍵構造、玄関収納、床材、室内建具（以上、図示せず）などの仕様を表示する。画面上では、上下にスクロールすることで全ての建物仕様を見ることができる。
【００５５】
外観スタイル情報選択手段１３２は、図１０に示すように、複数（本実施の形態では３スタイル）の外観スタイル情報を、コンピュータのモニターに表示する。モニターに表示される外観スタイル情報表示選択画面１３２ａには、標準外観スタイル１３２ｂと、他の外観スタイル１３２ｃ，１３２ｄのイメージパース図と、建物金額の標準外観スタイル１３２ｂからの増減差額が表示される。標準外観スタイル１３２ｂでは、増減差額はなく、他の外観スタイル１３２ｃ，１３２ｄでは、増減差額がそれぞれ表示される。増減差額は、各外観スタイル１３２ｃ，１３２ｄの仕様と、利用者が選択した建物プラン情報に応じて、建物仕様計算手段１３４（図１参照）によって算出される。建物仕様計算手段１３４は、選択された建物プラン情報に基づいて、外観スタイル１３２ｃ，１３２ｄごとの外壁や屋根の面積を求めるとともに、特殊な建具や納まりの箇所を求め、これらの情報に基づいて、前記増減差額を計算するので、非常に精度の高い差額を算出することができる。各外観スタイル情報の表示部分には、選択用ボックス１３２ｅがそれぞれ設けられており、利用者は利用者端末４ａ，４ｂ・・・または５ａ，５ｂ（図２参照）のマウスあるいはキーボードなどの入力装置８（図１参照）を操作して、選択した選択用ボックス１３２ｅにチェック１３２ｆを付けることとで、外観スタイルの選択情報が外観スタイル情報選択手段１３２へと入力される。
【００５６】
オプション情報選択手段１３３は、図４に示すように、屋根材を利用者に選択させる屋根材選択手段１３３ｅと、外壁材を利用者に選択させる外壁材選択手段１３３ｆと、電化対応仕様（コンロや給湯器の種類）、システムバス、空調設備、活水システム（浄水器の有無）などの設備機器を利用者に選択させる設備機器選択手段１３３ｇと、玄関収納、出窓、屋根裏収納、ウッドデッキなどの建具を利用者に選択させる建具選択手段１３３ｈとを備えている。オプション情報選択手段１３３は、図１１に示すように、建物の各部位（図１１では、屋根材、外壁材、玄関収納を図示している）について、標準仕様と数種類ずつのオプションの名称と、そのイメージ写真と、建物金額の標準仕様からの増減差額（本実施の形態では、外観スタイルによる増減差額と併せた建物オプション価格として表示する）とを、コンピュータのモニターのオプション情報表示選択画面１３３ａに表示する。
【００５７】
オプションの選択手順を、屋根材選択手段１３３ｅを例に挙げて説明する。利用者が入力装置８を介して、屋根材のオプション選択欄１３３ｂ内の矢印１３３ｃをクリックすると、屋根材の標準仕様とオプションの名称（彩色スレート板、コンクリート瓦など）が縦列表示される。そして、利用者が、標準仕様あるいはオプションの名称をクリックすると、そのイメージ写真１３３ｄが表示されるとともに、標準仕様からの増減差額および当該仕様の説明文が表示される。ここで、利用者はイメージ写真１３３ｄと増減金額を参照して、オプションを決定する。利用者が標準仕様あるいはオプションの名称をクリックした時点で、オプションの選択情報は、オプション情報選択手段１３３に入力され、利用者がオプションを変更するたびに、オプション情報選択手段１３３に入力された選択情報が変更される。以上の手順を繰り返して、外壁材、玄関収納、出窓、屋根裏収納、電化対応仕様（コンロや給湯器の種類）、システムバス、空調設備、活水システム（浄水器の有無）、ウッドデッキなど、各部位のオプションを順次選択していく。オプション情報表示選択画面１３３ａで表示される増減差額は、建物仕様計算手段１３４によって、選択した建物プラン情報から、各オプションの面積や個数を求めて、計算されるので、非常に精度の高い差額とすることができる。
【００５８】
図１に示すように、コンピュータ見積システム１は、複数の外構仕様情報が格納された外構仕様情報格納部１４と、外構仕様情報を利用者に選択させる外構仕様情報選択手段１５とを備えている。
【００５９】
外構仕様情報格納部１４は、複数の外構仕様のイメージ図と、各外構仕様の外構工事にかかる金額の概略計算情報が格納されている。概略計算情報は、利用者が選択した土地区画情報と建物プラン情報に応じて、建物金額の増減差額を算出するためのものである。外構仕様情報格納部１４には、例えば、敷地外周にフェンスを設けないオープンスタイルと、敷地外周にフェンスを設けるプライベートスタイルなどの外構仕様情報が格納されている。
【００６０】
外構仕様情報選択手段１５は、図１に示すように、外構形状を利用者に選択させる外構スタイル情報選択手段１５１と、利用者が選択した土地区画情報および建物プラン情報に応じて、外構工事にかかる金額を計算して表示する外構金額計算手段１５２とを備えている。
【００６１】
外構スタイル情報選択手段１５１は、図１２に示すように、複数（本実施の形態では２スタイル）の外構スタイル情報を、コンピュータのモニターに表示する。モニターに表示される外構スタイル情報表示選択画面１５１ａには、オープンスタイル１５１ｂと、プライベートスタイル１５１ｃのイメージ図と、外構工事にかかる金額（以下、単に「外構金額」と称する場合がある）が表示される。外構スタイル情報表示選択画面１５１ａで表示される外構金額は、外構金額計算手段１５２によって、選択した土地区画情報と建物プラン情報から、外構工事の施工面積を求めた上で計算されるので、非常に精度の高い差額とすることができる。各外構スタイル情報の表示部分には、選択用ボックス１５１ｄがそれぞれ設けられており、利用者は利用者端末４ａ，４ｂ・・・または５ａ，５ｂ（図２参照）のマウスあるいはキーボードなどの入力装置８（図１参照）を操作して、選択した選択用ボックス１５１ｄにチェック１５１ｅを付けることとで、外構スタイルの選択情報が外構スタイル情報選択手段１５１へと入力される。
【００６２】
図１に示すように、コンピュータ見積システム１は、利用者が選択した土地区画情報と建物プラン情報と建物仕様情報と外構仕様情報などの選択情報を基に計算された金額情報に基づいて住宅取得の資金計画を計算する資金計画計算手段１６と、この資金計画計算手段で計算された資金計画を表示する資金計画表示手段１７とを備えている。さらに、図５に示すように、資金計画計算手段１６は、利用者の自己資金や年収などの資金内訳情報を入力する資金内訳入力手段１６１と、借入金額や借入年数などのローン内容情報を入力するローン内容入力手段１６２と、入力されたローン内容情報に基づいて返済内容を計算する返済内容計算手段１６３と、建物工事以外にかかる諸費用を計算する諸費用計算手段１６４とを備えている。
【００６３】
図１３に示すように、資金内訳入力手段１６１は、コンピュータのモニターの資金計画入力表示画面１６ａに、資金内訳入力欄１６１ａを表示させる。ローン内容入力手段１６２は、資金計画入力表示画面１６ａに、ローン内容入力欄１６２ａを表示させる。資金内訳入力欄１６１ａには、自己資金の金額入力欄と、住宅ローンの金額入力欄と、贈与その他の金額入力欄が設けられている。資金内訳入力欄１６１ａに利用者が入力する各金額は、利用者が選択した土地区画情報と建物プラン情報と建物仕様情報と外構仕様情報などの選択情報を基に計算された金額情報（見積金額）を利用者が見て、その金額情報に基づいて、利用者が決定する。ローン内容入力欄１６２ａには、税込年収の金額入力欄と、借入金額入力欄と、ローン金利の年利率の入力欄と、借入年数の入力欄と、ボーナス併用有無の入力欄が設けられている。利用者は利用者端末４ａ，４ｂ・・・または５ａ，５ｂ（図２参照）のマウスあるいはキーボードなどの入力装置８（図１参照）を操作して、各入力欄に金額や選択情報を入力することで、資金計画計算手段１６に資金内訳情報およびローン内容情報が入力される。
【００６４】
返済内容計算手段１６３は、ローン内容入力手段１６２によって入力されたローン内容情報に基づいて返済内容を計算する。具体的には、借入金額と、ローン金利と、借入年数に基づいて、年間返済額を計算し、ボーナス併用がない場合には、年間返済額を１２等分して、毎月払い額を算出する。ボーナス併用がある場合には、年間返済額を２０等分して、毎月払い額とし、残高を２等分してボーナス払い額とする。なお、ボーナス併用の場合は、年間返済額が若干高くなる。毎月払い額と、ボーナス払い額は、金利の変動に合わせて、当初５年間、６年目から１０年目、１１年目以降の三段階で、払い額が算出されて表示される。年間返済額は、当初５年間の返済額が表示され、税込年収に対する年間返済額の割合である年間返済率が算出されて表示される。ここで、利用者は、年間返済額が、収入に対して無理のない額であるかを判断できる。
【００６５】
諸費用計算手段１６４は、土地関連の諸費用を計算する土地関連諸費用計算部と、建物関連の諸費用を計算する建物関連諸費用計算部と、融資関連の諸費用を計算する融資関連諸費用計算部とを備えている。土地関連諸費用計算部は、土地取得にかかる印紙代、登記費用（所有権移転登記費用）、仲介手数料、上下水道負担金などその他費用を、利用者が選択した土地区画情報に基づいて選別して計算する。建物関連諸費用計算部は、建物取得にかかる印紙代、登記費用、その他諸費用を、利用者が選択した建物プラン情報、建物仕様情報、外構仕様情報などに基づいて選別して計算する。融資関連諸費用計算部は、住宅ローンを契約するのにかかるローン諸費用、登記費用（抵当権設定登記）、つなぎ融資関係費用を、利用者が入力したローン内容情報に基づいて選別して計算する。
【００６６】
資金計画表示手段１７は、図１３に示すように、コンピュータのモニターの資金計画入力表示画面１６ａに、
返済内容計算手段１６３で計算された毎月払い額を表示する毎月払い額表示部１７１と、ボーナス払い額を表示するボーナス払い額表示部１７２と、年間返済額と年間返済率とを表示する年間返済額表示部１７３とを備えている。
【００６７】
資金計画表示手段１７は、コンピュータのモニターの資金計画入力表示画面１６ａに、土地関連諸費用計算部で計算された、土地取得にかかる印紙代、登記費用（所有権移転登記費用）、仲介手数料、その他費用を表示する土地関連諸費用表示部１７４と、建物関連諸費用計算部で計算された、建物取得にかかる印紙代、登記費用、その他諸費用を表示する建物関連諸費用表示部１７５と、融資関連諸費用計算部で計算された、住宅ローンを契約するのにかかるローン諸費用、登記費用（抵当権設定登記）およびつなぎ融資関係費用を表示する融資関連諸費用表示部１７６と、を備えている。なお、住宅ローンを契約するために火災保険に入ることが条件となる場合が多いが、融資関連諸費用表示部１７６は、火災保険料が別途必要であることを表示しており、利用者に別途料金が必要であることを予め明示している。
【００６８】
図１に示すように、コンピュータ見積システム１は、利用者が選択した土地区画情報と建物プラン情報と建物仕様情報と外構仕様情報などの選択情報に基づいて見積金額を表示する見積金額表示手段１８を備えている。
【００６９】
見積金額表示手段１８は、図７に示すように、土地区画情報表示選択画面７１上の
例えば右上部分に、見積金額を表示する見積金額表示部１８１を表す。見積金額表示部１８１は、利用者が選択した土地区画情報の土地価格を表示する土地価格表示部１８１ａと、利用者が選択した建物プラン情報の建物価格を表示する建物価格表示部１８１ｂと、利用者が選択した建物仕様情報による標準仕様との差額金額の合計を表示する建物オプション価格表示部１８１ｃと、利用者が選択した外構仕様情報の外構工事価格を表示する外構工事価格表示部１８１ｄとを備えている。さらに、見積金額表示部１８１は、前記各金額を合計した合計金額を表示する合計金額表示部１８１ｅと、諸費用計算手段１６４で算出された各諸費用の合計金額を表示する諸費用表示部１８１ｆとを備えている。見積金額表示部１８１は、土地区画情報表示選択画面７１から、建物プラン情報表示選択画面１１１、標準仕様表示画面１３１ａ、外観スタイル情報表示選択画面１３２ａ、オプション情報表示選択画面１３３ａ、外構スタイル情報表示選択画面１５１ａ、資金計画入力表示画面１６ａに亘って、常時表示されている（なお、図９では、図面のスペース上、見積金額表示部１８１は、図示を省略しているが、標準仕様表示画面１３１ａ上には表示されている）。見積金額表示部１８１は、各画面で、利用者が選択情報を入力する度にそれに対応する価格が表示されるとともに、合計金額が表示される。
【００７０】
図１に示すように、コンピュータ見積システム１は、利用者が選択した各条件と、資金計画計算手段１６によって計算された資金計画とに利用者が同意したときに、商談の申し込みを行う商談申込手段１９を備えている。
【００７１】
商談申込手段１９は、図１４に示すように、コンピュータのモニターの商談申込画面１９１に、利用者が選択した各選択条件を一覧表示する選択条件表示部１９２と、商談の申込を、インターネットを介して申し込む商談申込部１９３とを表示する。
【００７２】
選択条件表示部１９２は、見積金額表示部１８１と同等の内容を表示する金額表示部１９２ａと、利用者が選択した土地区画情報を表示する土地区画情報表示部１９２ｂと、利用者が選択した建物プラン情報を表示する建物プラン情報表示部１９２ｃと、利用者が選択した外観スタイルを表示する外観スタイル表示部１９２ｄと、利用者が選択した各オプションを一覧表示するオプション表示部１９２ｅと、利用者が選択した外構スタイルを表示する外構スタイル表示部１９２ｆとを備えている。
【００７３】
商談申込部１９３は、画面上に商談申込ボタン（本実施の形態では、「御見積書の作成を申込む」と表示している）１９３ａを備えており、利用者は、入力装置８（図１参照）を用いて商談申込ボタン１９３ａをクリックすることで、サーバ２を有する住宅メーカなどに自動的に商談申込信号と各選択情報が送られる。この商談申込信号を受けた住宅メーカなどは、各選択情報に基づいて、各土地区画情報での法令制限を確認して正式な見積書を作成する。
【００７４】
図１に示すように、コンピュータ見積システム１は、前記各手段を以下に説明する作動手順に沿って作動させる制御部２０を備えている。制御部２０は、利用者が、画面上で選択情報を入力するなど必要な操作を行った後に、「次のステップへ進む」ボタンをクリックすると、次の作動を行うように構成されている。
【００７５】
また、制御部２０には、記憶部（図示せず）が形成されており、利用者が選択した各種情報を記憶している。記憶部に記憶された情報は、制御部２０から建物仕様計算手段１３４や外構金額計算手段１５２などへ伝達されて、正確な見積が計算される。計算された見積金額は、制御部２０によって見積金額表示手段１８へと送られ、見積金額表示部１８１に表示される。
【００７６】
次に、図６を参照しながら、前記構成の住宅のコンピュータ見積システム（コンピュータシステム）１を備えたサーバ２を用いた住宅の見積方法を説明する。
【００７７】
［土地区画情報表示ステップ］
住宅の取得を希望する利用者は、図２に示す自宅コンピュータなどの利用者端末４ａまたは社内コンピュータなどの利用者端末５ａ（本実施の形態では利用者端末４ａを用いている場合を例に挙げて説明する）を用いて、コンピュータ見積システム１を備えたサーバ２にアクセスする。すると、コンピュータ見積システム１は、利用者端末４ａのモニターに、システムの概要を紹介する紹介画面（図示せず）を表示する。利用者が、概要を見た後に「次のステップへ進む」ボタンをクリックすると、コンピュータ見積システム１は、システムの操作方法を説明する説明画面（図示せず）を表示する。利用者が、操作方法を見た後に「次のステップへ進む」ボタンをクリックすると、コンピュータ見積システム１は、制御部２０から土地区画情報選択手段７に表示指令を送り、土地区画情報格納部６から必要な土地区画情報を取り出すとともに、利用者端末４ａのモニターに表示する（土地区画情報表示ステップＳ１）。モニターには、図７に示す土地区画情報表示選択画面７１が表示され、土地区画情報表示選択画面７１には、土地の概略図７５と方角表示７６、土地面積７７および土地価格７８と、見積金額表示部１８１が表示される。
【００７８】
［土地区画情報選択ステップ］
利用者は、土地区画情報表示選択画面７１に表示された複数の土地区画情報の中から、一つを選択した後に、利用者端末４ａ（図２参照）のマウスあるいはキーボードなどの入力装置８（図１参照）を用いて、その土地区画情報の選択用ボックス７２にチェック７３を付ける。これによって、土地区画の選択情報が、コンピュータ見積システム１の土地区画情報選択手段７に入力される（土地区画情報選択ステップＳ２（図６参照））。このとき、見積金額表示部１８１の土地価格表示部１８１ａには、選択した土地区画の価格が表示される。そして、利用者が、「建物プランを選ぶ」ボタン７４（「次のステップへ進む」ボタン）をクリックして、次のステップへと進む。
【００７９】
［建物プラン情報抽出ステップ］
土地区画の選択情報が土地区画情報選択手段７に入力されると、その選択情報は、建物プラン情報抽出手段１０へと送られる。建物プラン情報抽出手段１０では、建物プラン情報格納部９に格納されている建物プラン情報を、前記した方角判定手段１０１、建ぺい率判定手段１０２、容積率判定手段１０３および建築スペース判定手段１０５で、それぞれ判定して、各条件に適合する建物プラン情報を順次選別することで、選択された土地区画情報に適合する建物プラン情報を抽出する（建物プラン情報抽出ステップＳ３（図６参照））。
【００８０】
［建物プラン情報表示ステップ］
建物プラン情報抽出手段１０で、建物プラン情報が抽出されると、コンピュータ見積システム１は、制御部２０から建物プラン情報選択手段１１へと表示指令を送り、抽出された建物プラン情報を利用者端末４ａのモニターに表示する（建物プラン情報表示ステップＳ４（図６参照））。モニターには、図８に示す建物プラン情報表示選択画面１１１が表示され、建物プラン情報表示選択画面１１１には、各階平面図１１２、延床面積１１３および建物価格１１４が並列されて表示されるとともに、見積金額表示部１８１が表示される。建物プラン情報が多数ある場合は、画面を上下にスクロールすることで、全てのプランが表示される。
【００８１】
［建物プラン情報選択ステップ］
次に、利用者は、建物プラン情報表示選択画面１１１に表示された複数の建物プラン情報の中から、一つを選択した後に、利用者端末４ａ（図２参照）のマウスあるいはキーボードなどの入力装置８（図１参照）を用いて、その建物プラン情報の選択用ボックス１１５にチェック１１６を付ける。これによって、建物プランの選択情報が、コンピュータ見積システム１の建物プラン情報選択手段１１に入力される（建物プラン情報選択ステップＳ５（図６参照））。このとき、利用者は、各階平面図１１２をクリックすることで、その拡大表示された平面図を見ることができる。また、見積金額表示部１８１の建物価格表示部１８１ｂには、選択した建物プランの価格が表示され、合計金額表示部１８１ｅには、土地区画の価格と建物プランの価格の合計金額が表示される。そして、利用者が、「標準仕様の確認へ進む」ボタン１１７（「次のステップへ進む」ボタン）をクリックして、次のステップへと進む。なお、ここで、合計金額が予算と大幅に違う場合には、利用者が「区画選択画面（土地区画情報表示選択画面７１）へ戻る」ボタン１１８をクリックすることで、土地区画情報選択ステップＳ２へ戻ることができる。
【００８２】
［建物仕様情報表示ステップおよび建物仕様情報選択ステップ］
コンピュータ見積システム１が、利用者に複数の建物仕様情報を表示する建物仕様表示ステップは、以下に説明する標準仕様表示ステップＳ６と、外観スタイル情報表示ステップＳ８と、オプション情報表示ステップＳ１０とで構成される。一方、利用者が、建物仕様情報を選択してコンピュータ見積システム１に入力する建物仕様情報選択ステップは、以下に説明する標準仕様確認ステップＳ７と、外観スタイル情報選択ステップＳ９と、オプション情報選択ステップＳ１１とで構成される。
【００８３】
建物プラン情報選択ステップＳ５が終了して、「標準仕様の確認へ進む」ボタン１１７がクリックされると、コンピュータ見積システム１は、制御部２０から建物仕様情報選択手段１３の標準仕様表示手段１３１へと表示指令を送り、建物各部の標準仕様についての概略説明とイメージ写真を利用者端末４ａのモニターに表示する（標準仕様表示ステップＳ６（図６参照））。モニターには、図９に示す標準仕様表示画面１３１ａが表示され、標準仕様表示画面１３１ａには、ガス温水式床暖房１３１ｂ、システムキッチン１３１ｃ、システムバス１３１ｄ（以上、図９に示す）、壁断熱構造、浴室暖房乾燥機、洗面化粧台、シャワートイレ、インターフォン、サッシ構造、玄関ドアと鍵構造、玄関収納、床材、室内建具（以上、図示せず）などの仕様が表示される。画面上では、上下にスクロールすることで全ての標準仕様を見ることができる。なお、図９には示していないが、標準仕様表示画面１３１ａ上にも見積金額表示部１８１は表示されている。
【００８４】
次に、利用者は、標準仕様表示画面１３１ａに表示された標準仕様を見て、内容を確認した上で、「外観スタイルを選ぶ」ボタン１３１ｅ（「次のステップへ進む」ボタン）をクリックして（標準仕様確認ステップＳ７（図６参照））、次のステップへと進む。なお、ここで、利用者が「プラン選択へ戻る」ボタン１３１ｆをクリックすれば、建物プラン情報選択ステップＳ５へ戻ることができる。
【００８５】
標準仕様確認ステップＳ７が終了して、「外観スタイルを選ぶ」ボタン１３１ｅがクリックされると、コンピュータ見積システム１は、制御部２０から外観スタイル情報選択手段１３２に表示指令を送り、外観スタイル情報格納部１２１から複数の外観スタイル情報を取り出すとともに、利用者端末４ａのモニターに表示する（外観スタイル情報表示ステップＳ８）。モニターには、図１０に示す外観スタイル情報表示選択画面１３２ａが表示され、外観スタイル情報表示選択画面１３２ａには、標準外観スタイル１３２ｂと、他の外観スタイル１３２ｃ，１３２ｄのイメージパース図と、建物金額の標準外観スタイル１３２ｂからの増減差額が表示される。外観スタイル情報表示選択画面１３２ａには、見積金額表示部１８１も表示されている。
【００８６】
外観スタイル情報表示選択画面１３２ａに表示される他の外観スタイル１３２ｃ，１３２ｄの、標準外観スタイル１３２ｂからの増減差額は、建物仕様計算手段によって選択された建物プラン情報に基づいて計算されるので、非常に高い精度となっている。
【００８７】
次に、利用者は、外観スタイル情報表示選択画面１３２ａに表示された複数の外観スタイル１３２ｂ，１３２ｃ，１３２ｄの中から、一つを選択した後に、利用者端末４ａ（図２参照）のマウスあるいはキーボードなどの入力装置８（図１参照）を用いて、その外観スタイル情報の選択用ボックス１３２ｅにチェック１３２ｆを付ける。これによって、外観スタイルの選択情報が、コンピュータ見積システム１の外観スタイル情報選択手段１３２に入力される（外観スタイル情報選択ステップＳ９（図６参照））。このとき、見積金額表示部１８１の建物オプション価格表示部１８１ｃには、選択した外観スタイルの増減金額が表示され、合計金額表示部１８１ｅには、土地区画の価格と建物プランの価格と外観スタイルの増減の合計金額が表示される。ここで、利用者は、イメージ図によって、建物外観の完成イメージを正確に思い浮かべることができるとともに、精度の高い増減差額で外観スタイルを選択することができる。そして、利用者が、「オプションを選ぶ」ボタン１３２ｇ（「次のステップへ進む」ボタン）をクリックして、次のステップへと進む。なお、ここで、利用者が「標準仕様の確認へ戻る」ボタン１３２ｈをクリックすれば、再度、標準仕様確認ステップＳ７へ戻ることができる。
【００８８】
外観スタイル情報選択ステップＳ９が終了して、「オプションを選ぶ」ボタン１３２ｇがクリックされると、コンピュータ見積システム１は、制御部２０からオプション情報選択手段１３３に表示指令を送り、オプション情報格納部１２２から複数のオプション情報を取り出すとともに、利用者端末４ａのモニターに表示する（オプション情報表示ステップＳ１０）。モニターには、図１１に示すオプション情報表示選択画面１３３ａが表示され、オプション情報表示選択画面１３３ａには、建物の各部位（図１１では、屋根材、外壁材、玄関収納を図示している）について、標準仕様と数種類ずつのオプションの名称と、そのイメージ写真と、建物金額の標準仕様からの増減差額と、当該仕様の説明文とが表示される（オプション情報表示ステップＳ１０（図６参照））。具体的には、例えば屋根材の標準仕様またはオプション仕様の名称は、屋根材のオプション選択欄１３３ｂ内に表示される。利用者がオプション選択欄１３３ｂ内の矢印１３３ｃをクリックすると、屋根材の標準仕様とオプション仕様の名称（彩色スレート板、コンクリート瓦など）が縦列表示される。そして、利用者が標準仕様またはオプション仕様の名称をクリックすると、その仕様によるイメージ写真１３３ｄ（標準仕様）が表示されるとともに、増減金額が、見積金額表示部１８１の建物オプション価格表示部１８１ｃに、外観スタイルによる増減差額と併せた建物オプション価格として表示される。また、標準仕様またはオプション仕様の名称の下部にその仕様の説明文が表示される。屋根材の他の外壁材、設備機器、建具についても、利用者が同様の操作を行うことで、標準仕様と数種類ずつのオプション仕様の名称と、そのイメージ写真と、建物金額の標準仕様からの増減差額と、当該仕様の説明文とが表示される。ここで、増減差額は、建物仕様計算手段１３４によって、選択した建物プラン情報から、各オプションの面積や個数を求めて、計算されるので、非常に精度の高い金額を示すことができる。
【００８９】
利用者は、屋根材のオプション選択欄１３３ｂ内の矢印１３３ｃをクリックして、各仕様（標準仕様およびオプション仕様）の名称を表示させるとともに、各仕様の名称をクリックして、イメージ写真１３３ｄと標準仕様との差額金額と当該仕様の説明文とを表示させる。利用者は、イメージ写真１３３ｄと差額金額と説明文とを参考にして、仕様を選択する。選択した仕様が表示されているときに、利用者が他の部分（例えば、空白部分や他の部位のオプション選択欄など）をクリックすると、オプションの選択情報がコンピュータ見積システム１のオプション情報選択手段１３３に入力される（オプション情報選択ステップＳ１１（図６参照））。利用者は、以上の操作手順を、他の外壁材、設備機器、建具についても行い、全てのオプションについて選択情報をオプション情報選択手段１３３に入力する。その後、利用者が、「エクステリアスタイル（外構スタイル）を選ぶ」ボタン１３３ｉ（「次のステップへ進む」ボタン）をクリックして、次のステップへと進む。なお、ここで、利用者が「外観スタイルの選択へ戻る」ボタン１３３ｊをクリックすれば、再度、外観スタイル情報選択ステップＳ９へ戻ることができる。
【００９０】
［外構仕様情報表示ステップ］
オプション情報選択ステップＳ１１が終了して、「エクステリアスタイルを選ぶ」ボタン１３３ｉがクリックされると、コンピュータ見積システム１は、制御部２０から外構スタイル情報選択手段１５１に表示指令を送り、外構仕様情報格納部１４から複数の外構スタイル情報を取り出すとともに、利用者端末４ａのモニターに表示する（外構仕様情報表示ステップＳ１２（図６参照））。モニターには、図１２に示す外構スタイル情報表示選択画面１５１ａが表示され、外構スタイル情報表示選択画面１５１ａには、オープンスタイル１５１ｂと、プライベートスタイル１５１ｃのイメージ図と、外構金額とがそれぞれ表示される。外構スタイル情報表示選択画面１５１ａには、見積金額表示部１８１も表示されている。
【００９１】
ここで表示される外構金額は、外構金額計算手段１５２によって、選択した土地区画情報と建物プラン情報から、外構工事の施工面積を求めた上で計算されるので、非常に精度の高い金額とすることができる。なお、植栽については、外構施工面積によって本数が大きく変わるので、別途料金であると明記されている。ここで、植栽の種類ごとに、概算の施工単価を植栽のイメージ写真と併せて別途表示するようにしてもよい。
【００９２】
［外構仕様情報選択ステップ］
次に、利用者は、外構スタイル情報表示選択画面１５１ａに表示された複数の外構スタイル１５１ｂ，１５１ｃの中から、一つを選択した後に、利用者端末４ａ（図２参照）のマウスあるいはキーボードなどの入力装置８（図１参照）を用いて、その外構スタイル情報の選択用ボックス１５１ｄにチェック１５１ｅを付ける。これによって、外構スタイルの選択情報が、コンピュータ見積システム１の外構スタイル情報選択手段１５１に入力される（外構仕様情報選択ステップＳ１３（図６参照））。このとき、見積金額表示部１８１の外構工事価格表示部１８１ｄには、選択した外構スタイルの工事金額が表示され、合計金額表示部１８１ｅには、土地区画の価格と建物プランの価格と建物オプションの増減差額と外構工事金額の合計金額が表示される。ここで、利用者は、イメージ図によって、外構の完成イメージを正確におもいうかべることができるとともに、精度の高い外構見積金額で外構スタイルを選択することができる。そして、利用者が、「資金計画へ進む」ボタン１５１ｆ（「次のステップへ進む」ボタン）をクリックして、次のステップへと進む。なお、ここで、利用者が「オプション選択へ戻る」ボタン１５１ｇをクリックすれば、再度、オプション情報選択ステップＳ１１へ戻ることができる。
【００９３】
［資金内訳情報入力ステップおよびローン内容情報入力ステップ］
外構仕様情報選択ステップＳ１３が終了して、「資金計画へ進む」ボタン１５１ｆがクリックされると、コンピュータ見積システム１は、制御部２０から資金計画計算手段１６に表示指令を送り、資金内訳入力欄１６１ａとローン内容入力欄１６２ａとを、利用者端末４ａのモニターに表示する。モニターには、図１３に示す資金計画入力表示画面１６ａが表示され、資金計画入力表示画面１６ａには、資金内訳入力欄１６１ａとローン内容入力欄１６２ａと、資金計画表示欄１７ａと、諸費用表示欄１７ｂと、見積金額表示部１８１とが一画面上に表示されている。
【００９４】
利用者は、見積金額表示部１８１の合計金額を参照して、資金内訳入力欄１６１ａに自己資金、住宅ローンおよび贈与その他の金額を入力する（資金内訳情報入力ステップＳ１４（図６参照））。ここで、これら金額の資金合計金額が自動的に計算されて、表示されるので、利用者は、資金合計金額が、見積の合計金額を超えるように入力する。
【００９５】
さらに、利用者は、ローン内容入力欄１６２ａに税込年収の金額、借入金額、利用するローン金利の年利率、借入年数およびボーナス併用の有無を入力する（ローン内容情報入力ステップＳ１５（図６参照））。ここで、借入金額は、資金内訳入力欄１６１ａに入力した住宅ローンの金額と同じ金額とする。
【００９６】
［資金計画計算ステップおよび資金計画表示ステップ］
資金内訳情報入力ステップＳ１４およびローン内容情報入力ステップＳ１５が終了したならば、利用者は、「返済額と諸費用を計算する」ボタン１７７をクリックする。これによって、コンピュータ見積システム１は、制御部２０から資金計画計算手段１６の返済内容計算手段１６３と、諸費用計算手段１６４に計算指令を送り、返済内容と諸費用とがそれぞれ計算される。返済内容は、毎月払い額、ボーナス払い額、年間返済額および税込年収に対する年間返済率が、返済内容計算手段１６３によって、ローン内容情報入力ステップＳ１５で入力された情報に基づいて計算される。毎月払い額、ボーナス払い額および年間返済額は、利用する受託ローンの金利の変動に合わせて、当初５年間、６年目から１０年目、１１年目以降の三段階でそれぞれ計算される。諸費用は、土地関連諸費用、建物関連諸費用および融資関連諸費用が、諸費用計算手段１６４によって、利用者が選択した土地区画情報、建物プラン情報、建物仕様情報、外構仕様情報およびローン内容情報に基づいて計算される（資金計画計算ステップＳ１６（図６参照））。返済内容と諸費用は、その計算に必要な情報が、利用者によって漏れなく入力されているので、非常に精度の高い金額を算出することができる。
【００９７】
返済内容と諸費用が計算されたならば、コンピュータ見積システム１は、制御部２０から資金計画表示手段１７に表示指令を送り、返済内容と諸費用とを、利用者端末４ａのモニターの資金計画入力表示画面１６ａ（図１３参照）に表示する（資金計画表示ステップＳ１７（図６参照））。資金計画入力表示画面１６ａには、資金内訳入力欄１６１ａとローン内容入力欄１６２ａと、資金計画表示欄１７ａと、諸費用表示欄１７ｂと、見積金額表示部１８１とが一画面上に表示されているので、資金関連の情報を一目で確認することができる。返済内容は、毎月払い額とボーナス払い額が、当初５年間、６年目から１０年目、１１年目以降の三段階でそれぞれ表示され、年間返済額および税込年収に対する年間返済率は、当初５年間の金額および率のみが表示されている。諸費用は、土地関連諸費用として、土地取得にかかる印紙代、登記費用（所有権移転登記費用）、仲介手数料、上下水道負担金などその他費用が表示され、建物関連諸費用として、建物取得にかかる印紙代、登記費用、その他諸費用が表示され、融資関連諸費用として、住宅ローンを契約するのにかかるローン諸費用、登記費用（抵当権設定登記）、つなぎ融資関係費用が表示されている。
【００９８】
［資金計画確認ステップ］
利用者は、資金計画入力表示画面１６ａに表示された、資金内訳情報、ローン内容情報、返済内容情報および諸費用情報を確認した後、「これまでの選択内容を確認する」ボタン１７８（「次のステップへ進む」ボタン）をクリックして（資金計画確認ステップＳ１８（図６参照））、次のステップへと進む。なお、ここで、各情報を変更したい場合は、「入力内容をリセットする」ボタン１６５をクリックすることで、資金内訳情報入力ステップＳ１４およびローン内容情報入力ステップＳ１５に戻ることができる。
【００９９】
また、ここで、利用者が「エクステリアの選択へ戻る」ボタン１７９をクリックすれば、再度、外構仕様情報選択ステップＳ１３へ戻ることができる。
【０１００】
［商談申込ステップ］
資金計画確認ステップＳ１８が終了して、「これまでの選択内容を確認する」ボタン１７８がクリックされると、コンピュータ見積システム１は、制御部２０から商談申込手段１９に表示指令を送り、利用者が選択した各選択条件を一覧表示する選択条件表示部１９２と、商談の申込を、インターネットを介して申し込む商談申込部１９３とを、コンピュータのモニターの商談申込画面１９１に表示する。
【０１０１】
選択条件表示部１９２には、これまでのステップで利用者が選択した情報、すなわち、土地区画、建物プラン、外観スタイル、建物各部のオプション、外構スタイルの情報が一画面上で表示されている。さらに、選択条件表示部１９２には、これらの金額を表示した見積金額表示部１８１も含まれている。
【０１０２】
ここで、利用者は、「このページを印刷する」ボタン１９３ｂをクリックすることで、商談申込画面１９１を印刷することができ、利用者が選択した土地区画、建物プラン、外観スタイル、建物各部のオプション、外構スタイルの情報およびこれらの金額を保存できる。また、利用者は、「資金計画へ戻る」ボタン１９３ｃをクリックすることで、資金内訳情報入力ステップＳ１４およびローン内容情報入力ステップＳ１５に戻ることができる。さらに、利用者は、「区画選択へ戻る」ボタン１９３ｄをクリックすることで、土地区画情報選択ステップＳ２に戻ることができ、最初から選択を行うことができる。
【０１０３】
利用者は、選択条件表示部１９２に表示された内容、すなわち、土地および建物の情報とそれらの値段とを最終確認して、これに同意したならば、「御見積書の作成を申込む」ボタン（商談申込ボタン）１９３ａをクリックする。すると、商談申込み内容の入力フォーム（図示せず）が表示され、利用者はプライバシーポリシーなどを確認して、再度申込みボタン（図示せず）をクリックする。これによって、コンピュータ見積システム１は、制御部２０から商談申込手段１９に申込指令を送る。すると、サーバ２を有する住宅メーカなどに自動的に商談申込信号と各選択情報が送られ、商談が申し込まれる（商談申込ステップＳ１９（図６参照））。
【０１０４】
ここで、本実施の形態に係る住宅の見積方法による見積作成ステップが終了する。その後、商談申込信号を受けた住宅メーカなどは、各選択情報に基づいて、各土地区画情報での法令制限を確認して正式な見積書を作成して、詳細な打合せを行うなど、商談が開始される。
【０１０５】
以上のように、本実施の形態に係るコンピュータ見積システム１および住宅の見積方法によれば、利用者は土地区画情報を選択した後に、その土地区画情報に適合する建物プラン情報を選択できるので、建物プラン情報の具体性が高く、住宅購入にかかる資金の見積精度が非常に高くなる。また、建物仕様情報や外構仕様情報は、選択した土地区画情報と建物プラン情報とから各部の面積や個数などが具体的に分かった上で見積金額が計算されるので、見積精度が大幅に向上する。したがって、利用者は、本システムで示された見積金額とほとんどそのままの同じ金額で住宅を購入することができるので、購入などの意思決定が行いやすい。
【０１０６】
さらに、利用者が土地区画情報を選択してから、コンピュータ見積システム１が土地区画情報に適合する建物プラン情報を抽出して表示するので、利用者は表示されたどの建物プランを選択しても建築可能であり、敷地内に建物が入らないといった問題が発生することはない。建物プランを抽出するに際しては、方角判定、建ぺい率判定、容積率判定、建築スペース判定といった複数の判定作業を、建物プラン情報抽出手段１０によっておこなっているので、建物プラン情報の抽出を、多くの建物プラン情報の中から迅速かつ的確に行うことができる。
【０１０７】
また、利用者は、自宅コンピュータなどの利用者端末を介して、自宅に居ながら、住宅の見積を作成することができるので、住宅メーカや住宅展示場などに出向く時間が省けるとともに、気軽に複数のプランについて、見積を容易に作成することが可能となる。一方、住宅メーカなどの建築会社側も、利用者との商談機会が増えるといったメリットを得ることができる。
【０１０８】
コンピュータ見積システム１は、同一の分譲地や同一の地域などの所定の区画単位ごとに設けられているので、細かい建物プラン情報、建物仕様情報および外構仕様情報を設定することができ、見積精度をさらに高くできる。
【０１０９】
利用者は、外観スタイル、建物各部のオプションおよび外構スタイルを、イメージ図やイメージ写真、正確な増減差額および説明文を見ながら選択できるので、契約後の変更が少なく、見積金額と実際にかかる金額との差額をほとんどなくすことができる。さらに、工事も途中での変更がなく円滑に行うことができ、利用者のイメージと実際に建てられる建物との差をなくすことができ、完成後の満足感も高まる。
【０１１０】
特に、オプションについては、コンピュータ見積システム１を用いて選択することによって、オプションの名称をクリックするだけでイメージ写真と増減差額が表示されるので、屋根材、外壁材、設備機器および建具といった多くの項目を短時間で細かく選択することができる。これによって、住宅メーカなどの建築会社側も、利用者との商談時間が短縮され、早期に工事にとりかかることができるといったメリットを得ることができる。
【０１１１】
また、外構スタイルについては、土地区画情報と建物プラン情報が選択されているので、外構の施工面積を特定することができ、外構工事金額の見積精度を大幅に高めることができる。
【０１１２】
資金計画については、コンピュータ見積システム１は、利用者の資金内訳情報やローン内容情報をもれなく正確に把握した上で返済内容を計算できるので、毎月の返済額などを正確に計算できる。さらに、利用者は、コンピュータ見積システム１を介して、正確な返済計画を簡単な作業で得ることができるので、気軽に複数の住宅ローンについて何度でもシミュレートすることができる。
【０１１３】
本コンピュータ見積システム１によれば、利用者が選択した各条件と、資金計画計算手段によって計算された資金計画とに利用者が同意したときに、商談を即座に申し込むことができるので、迅速に次のステップへ進むことができ、利用者および販売施工業者の双方に有益である。また、同じ土地区画で他の商談が入っている場合、この情報を即座に把握できるようにすることもできる。これによれば、利用者は別の区画の選択作業を直ぐに開始できる。
【０１１４】
以上、本発明を実施するための形態について説明したが、本発明は前記実施の形態に限定されず、本発明の趣旨を逸脱しない範囲で適宜変更が可能である。例えば、本実施の形態では、利用者は、自宅コンピュータなどの利用者端末４で作業を行っているが、利用者が住宅メーカなどに出向いて、ＬＡＮなどの接続手段で接続された利用者端末５を利用して住宅の見積を行ってもよいのは勿論である。但し、自宅コンピュータなどの利用者端末４で住宅の見積を行う方が、住宅メーカなどに出向く手間が省ける分、本発明を有効に利用しているといえる。
【０１１５】
また、本実施の形態で、示した選択項目は、一例であって、住宅設備の進歩や、外観や外構の流行の変化に応じて、選択項目を変更または追加してもよいのは言うまでもない。一例として、太陽光充電設備などのオプションを追加することが考えられる。
【図面の簡単な説明】
【０１１６】
【図１】本発明に係る住宅のコンピュータ見積システムを実施するための最良の第1の実施の形態を示した構成図である。
【図２】本発明に係る住宅のコンピュータ見積システムを実施するための最良の第1の実施の形態の接続状態を示した構成図である。
【図３】建物プラン情報抽出手段を示した構成図である。
【図４】オプション情報選択手段を示した構成図である。
【図５】資金計画計算手段を示した構成図である。
【図６】本発明に係る住宅の見積方法を実施するための最良の第1の実施の形態を示したフローチャートである。
【図７】土地区画情報表示選択画面を示した図である。
【図８】建物プラン情報表示選択画面を示した図である。
【図９】標準仕様表示画面を示した図である。
【図１０】外観スタイル情報表示選択画面を示した図である。
【図１１】オプション情報表示選択画面を示した図である。
【図１２】外構スタイル情報表示選択画面を示した図である。
【図１３】資金計画入力表示画面を示した図である。
【図１４】商談申込画面を示した図である。
【符号の説明】
【０１１７】
１        コンピュータ見積システム
６        土地区画情報格納部
７        土地区画情報選択手段
９        建物プラン情報格納部
１０      建物プラン情報抽出手段
１０１    方角判定手段
１０２    建ぺい率判定手段
１０３    容積率判定手段
１０５    建築スペース判定手段
１１      建物プラン情報選択手段
１２      建物仕様情報格納部
１２１    外観スタイル情報格納部
１２２    オプション情報格納部
１３      建物仕様情報選択手段
１３２    外観スタイル情報選択手段
１３３    オプション情報選択手段
１３３ｅ  屋根材選択手段
１３３ｆ  外壁材選択手段
１３３ｇ  設備機器選択手段
１３３ｈ  建具選択手段
１３４    建物仕様計算手段
１４      外構仕様情報格納部
１５      外構仕様情報選択手段
１５１    外構スタイル情報選択手段
１５２    外構金額計算手段
１６      資金計画計算手段
１６１    資金内訳入力手段
１６２    ローン内容入力手段
１６３    返済内容計算手段
１７      資金計画表示手段
１８      見積金額表示手段
１９      商談申込手段
Ｓ１      土地区画情報表示ステップ
Ｓ２      土地区画情報選択ステップ
Ｓ３      建物プラン情報抽出ステップ
Ｓ４      建物プラン情報表示ステップ
Ｓ５      建物プラン情報選択ステップ
Ｓ６      標準仕様表示ステップ（建物仕様情報表示ステップ）
Ｓ７      標準仕様確認ステップ（建物仕様情報選択ステップ）
Ｓ８      外観スタイル情報表示ステップ（建物仕様情報表示ステップ）
Ｓ９      外観スタイル情報選択ステップ（建物仕様情報選択ステップ）
Ｓ１０    オプション情報表示ステップ（建物仕様情報表示ステップ）
Ｓ１１    オプション情報選択ステップ（建物仕様情報選択ステップ）
Ｓ１２    外構仕様情報表示ステップ
Ｓ１３    外構仕様情報選択ステップ
Ｓ１６    資金計画計算ステップ
Ｓ１９    商談申込ステップ
【図１】
2007102400.tif 000003
【図２】
2007102400.tif 000004
【図３】
2007102400.tif 000005
【図４】
2007102400.tif 000006
【図５】
2007102400.tif 000007
【図６】
2007102400.tif 000008
【図７】
2007102400.tif 000009
【図８】
2007102400.tif 000010
【図９】
2007102400.tif 000011
【図１０】
2007102400.tif 000012
【図１１】
2007102400.tif 000013
【図１２】
2007102400.tif 000014
【図１３】
2007102400.tif 000015
【図１４】
2007102400.tif 000016